(57)【特許請求の範囲】
【請求項１】
少なくとも１つの搬送ローラ（２）を備えたフィルム搬送用装置において、
搬送ローラ（２）は、フィルム（１）を搬送するための１対のギアーリムであって、該ギアーリムの歯（４ａ，４ｂ）と、フィルム（１）の矩形状のパーフォレーション穴（５）との係合に基づきフィルム（１）を搬送するための１対のギアーリム（３ａ，３ｂ）を有し、
歯（４ａ，４ｂ）の底端部（４ａ’，４ｂ’）は、矩形状断面を有し、
上記１対のギアーリム（３ａ，３ｂ）の一方の第１ギアーリム（３ｂ）の歯（４ｂ）は、フィルム（１）の搬送方向（Ｃ）に直角である方向（Ｄ）における側面においてのみ、パーフォレーション穴（５）に接すると共に、該歯（４ｂ）は、フィルム（１）の搬送方向（Ｃ）において、パーフォレーション穴（５）から所定間隔（ｄ’）を置いて隔てられ、
一方、上記１対のギアーリム（３ａ，３ｂ）の他方の第２ギアーリム（３ａ）の歯（４ａ）は、フィルム（１）の搬送方向（Ｃ）における側面においてのみ、パーフォレーション穴（５）に接すると共に、該歯（４ａ）は、フィルム（１）の搬送方向（Ｃ）に直角である上記方向（Ｄ）おいて、パーフォレーション穴（５）から所定間隔（ｄ）を置いて隔てられるようにしたことを特徴とするフィルム搬送用装置。
【請求項２】
上記歯（４ａ，４ｂ）の上端部（４ａ”，４ｂ”）は、夫々、円錐形状を有すると共に、上記パーフォレーション穴（５）に係合するようにしたことを特徴とする請求項１記載のフィルム搬送用装置。
【請求項３】
上記搬送ローラ（２）は、１対備えられたことを特徴とする請求項１又は２記載のフィルム搬送用装置。
【請求項４】
上記搬送ローラ（２）上にフィルムガイドローラ（６）が備えられ、
上記フィルムは、搬送ローラ（２）とフィルムガイドローラ（６）との間に搬送されることができるようにしたことを特徴とする請求項１〜３のいずれかに記載のフィルム搬送用装置。
【請求項５】
写真平板術において、上記フィルム（１）を１つ以上のマスクをもって露光する前にフィルム（１）を位置決めするようにした請求項１〜４のいずれかに記載のフィルム搬送用装置の使用方法。
【発明の詳細な説明】
【０００１】
【発明の属する技術分野】
本願発明は、フィルム搬送用装置及びその使用方法に関し、詳しくは、たとえばEP-B1-0449180号公報に記載されているような写真平板（写真石版術）用フィルム露光装置で露光（露出）されるべきフィルムを搬送したり予備位置決め（事前位置決め）したりするのに用いられるフィルム搬送用装置及びその使用方法に関する。
【０００２】
【従来の技術】
フィルムを搬送するためのホイールとして、歯（ティース）が均一に円形状に配置されたピンからなるヘッジホグホイール（hedgehog wheel）が、従来より既に知られている。これらのピンは、フィルムのパーフォレーションと係合して、フィルムをその搬送方向に搬送する。駆動力が、周知の方法で、ピンを介してフィルムに伝達されるとき、フィルム材料は、本質的に、ポイント（点）に負荷が作用した状態で露光（露出）される。この結果、フィルムの材料特性により、力の伝達は制限される。
【０００３】
さらに、ピンは、フィルム平面と、フィルムの搬送方向及び該搬送方向に垂直（直角）な方向において接するので、フィルムの位置決めは過度に限定的なものになる。
【０００４】
さらに、ピンがフィルムのパーフォレーション穴内に挿入されたり該穴から取り外されたりしたときに、その摩擦が可能な限り小さくなるように、ピンの直径を選択する必要がある。
【０００５】
このように、フィルムは、高い精度で位置決めを行なうことができない。
【０００６】
【発明が解決しようとする課題】
したがって、本願発明の解決すべき技術的課題は、フィルムがより迅速に搬送され、フィルムが露光時により正確に位置決めされ、しかも、低コストで製造できるようにしたフィルム搬送用改良装置及びその使用方法を提供することである。
【０００７】
【課題を解決するための手段・作用・効果】
上記技術的課題を解決するために、本願発明によれば、以下の構成のフィルム搬送用装置及びその使用方法が提供される。
【０００８】
すなわち、本願発明の装置により、カメラにおけるように、フィルムが１つの露光領域から次の露光領域へと搬送される。このフィルムは、矩形状のパーフォレーション穴を有しており、少なくとも１つの搬送ローラに配置された所謂ヘッジホグホイール(hedgehog wheels)と呼ばれる歯付きリム若しくはギアーリムが、このパーフォレーション（穴）に係合する。これによって、搬送ローラが回転したときに、フィルムが搬送される。
【０００９】
本願発明は、フィルム搬送するための搬送ローラのスプロケットホイール若しくはヘッジホグホイールの新規な構成に基づいている。均一な丸いピンがフィルム搬送ローラの１対のギアーリムに用いられる代わりに、異なった形状と異なった機能を有する歯が、一対のギアーリムに用いられる。
【００１０】
第１のギアーリムの歯は、フィルムの搬送方向における所定の固定位置にフィルムを保持する。一方、第２のギアーリムの歯は、上記フィルムの搬送方向に対して直角（垂直）な方向（水平方向）にフィルムを保持する。それらの下端部（底部）において、上記歯は、パーフォレーション（穴）の如く矩形（方形）状の断面を有する。
【００１１】
上記第１のギアーリムの歯は、その搬送方向において、パーフォレーション内に正確に適合（フィット）することができるように寸法構成されている。これは、搬送方向に対する歯の側面（側部）、つまり搬送方向に対して直角（垂直）に延在する歯の面、が当該搬送方向に対するパーフォレーションの側面（側部）、つまり搬送方向に対して直角（垂直）に延在するパーフォレーションの面、に当接することを意味している。一方、搬送方向に対して平行に延在する歯の側面（側部）は、対応するパーフォレーションの側面（側部）から隔てられ、これにより、フィルムは、搬送方向に対して垂直（直角）な方向には案内されない。
【００１２】
一方、第２のギアーリムの歯は、その搬送方向と直角（垂直）な方向（水平方向）において、パーフォレーション内に正確に適合（フィット）することができるように寸法構成されている。これは、搬送方向と垂直な方向に対する歯の側面（側部）、つまり搬送方向に対して平行に延在する歯の面、が当該搬送方向と垂直な方向に対するパーフォレーションの側面（側部）、つまり搬送方向に対して平行に延在するパーフォレーションの面、に当接することを意味している。一方、搬送方向と垂直な方向に延在する歯の側面（側部）は、対応するパーフォレーションの側面（側部）から隔てられ、これにより、フィルムは、搬送方向には案内されない。
【００１３】
つまり、本願発明の装置においては、一方のギアーリムが、フィルム搬送方向におけるフィルムの位置決めを行ない、また、他方のギアーリムが、該フィルム搬送方向に直角（垂直）な方向（水平方向）におけるフィルムの位置決めを行なう。これとの比較において、均一に丸いピンを備えた従来の装置においては、搬送方向におけるフィルムの位置決めと、該搬送方向に対して垂直（直角）な方向におけるフィルムの位置決めとは、両方の（２つの）ギアーリムによって行なわれる。
【００１４】
本願発明は、次のような利点（特徴）を有する。
【００１５】
すなわち、歯及びパーフォレーション（穴）の矩形形状によって、力は、接触ライン（接触線）を通して伝達されることになる。丸いピンと比較した場合、より大きい力を伝達することが可能になる。これは、フィルムの加速と減速に積極的な効果を有する。従って、たとえば、フィルムを１つの露光領域から次の露光領域に搬送するために必要とされる時間を減じることができる。
【００１６】
また、歯がパーフォレーション穴の２つの側面（側部）のみに当接するという事実に基づき、これらの２つの側面（側部）のみを正確に形成（製造）すれば良く、従って、製造コストを低くすることができる。
【００１７】
さらに、また、この構成をもって、歯のより正確な寸法構成を実現することが可能になる。パーフォレーション（穴）の寸法構成に対して歯の機械的公差（許し代）はより小さなものとなるので、フィルムは、より正確に位置決めされることができる。また、たとえば、写真平板術（写真石版術）においてマスクを近接させたりマスクを当接させてイメージ化する場合に、露光（露出）の正確さを大きくすることができる。
【００１８】
【発明の実施の形態】
以下に、本願発明の１実施形態に係るフィルム搬送用装置及びその使用方法を図１〜６に従って詳細に説明する。
【００１９】
図１は、この１実施形態に係るフィルム搬送用装置を示している。この装置において、２つの搬送用ローラ２は、夫々、２つのギアーリム３ａ，３ｂを備えている。これらの２つの搬送用ローラ２によって、フィルム１は、Ｃ方向に搬送される。フィルム搬送時にフィルムが垂直方向に持ち上げられることを回避するために、ギアーリム上には、ガイドローラ６が備えられている。しかしながら、基本的には、本願発明は、ガイドローラなしで、ただ１つの搬送用ローラのみで、実現されることができる。
【００２０】
図２は、フィルム１が搬送用ローラ２上に配置されている状態を示す上面図である。この状態において、各搬送用ローラ２の各ギアーリム３ａ，３ｂの１つの歯が、フィルム１の１つのパーフォレーション穴５と係合している。たとえば写真平板（写真石版術）における正確な露光（露出）を保証するために、フィルムを搬送し該フィルムを露光（露出）領域に停止させるときに、フィルムの搬送方向であるＣ方向及び該Ｃ方向に垂直（直角）なＤ方向においてフィルムの正確な位置決めが維持されることは重要である。さらに、高精度が要求される一方でフィルムの搬送と停止とが高速で実行されるようにすることが好ましい。
【００２１】
ギアーリムの歯は、図３〜６に示すごとく本願発明に従って構成されるので、これらの要求は満足される。
【００２２】
図３は、図２の部分Ａを詳細に示した拡大図である。この図は、パーフォレーション穴５内に位置しているギアーリム３ａの歯４ａを示している。この歯４ａは、Ｃ方向において、その全長ｌ（エル）をもってパーフォレーション穴５を満たしており、パーフォレーション穴５の側部（側面）５ａに接している。
【００２３】
一方、上記Ｃ方向に垂直（直角）であるＤ方向（水平方向）において、歯４ａは、パーフォレーション穴５の側部（側面）５ｂから所定間隔（距離）を置いて隔てられている。つまり、フィルム１は、Ｄ方向に関して、ギアーリム３ａによって位置決めされないようになっている。
【００２４】
図４は、図２における部分Ｂを詳細に示した拡大図である。この図は、ギアーリム３ｂの歯４ｂがフィルム１のパーフォレーション穴５内に位置している状態を上面図として示したものである。図３との比較において、この歯４ｂは、上記Ｃ方向に垂直（直角）であるＤ方向（水平方向）において、その全長をもってパーフォレーション穴５を完全に満たしている。これは、歯４ｂの各側部（側面）がパーフォレーション穴５の側部（側面）５ｂと接していることを意味している。フィルム１は、このようにして、Ｄ方向に位置決めされると共に固定される。
【００２５】
一方、上記Ｃ方向において、歯４ｂの側部は、パーフォレーション穴５の側部（側面）５ａから所定間隔（距離）ｄ’を置いて隔てられている。つまり、フィルム１は、Ｃ方向に関して、位置決めされないようになっている。
【００２６】
歯４ａ，４ｂの上端部４ａ”，４ｂ”は、夫々、円錐形状をなしている。これにより、搬送ローラ２によりフィルム１が搬送されるとき、それらは、パーフォレーション穴５内により良く挿入され、また、それらは、パーフォレーション穴５からより良く取り外されることができる。
【００２７】
図５は、図３の歯４ａのＥ−Ｅ’線断面図であり、図６は、図４のＦ−Ｆ’線断面図である。
【００２８】
図５から明らかなように、矩形状の底端部４ａ’は、パーフォレーション穴５の側部（側面）５ａに接する。その上端部４ａ”は傾斜面を有しており、つまり、該上端部４ａ”は、円錐形状を有しており、パーフォレーション穴５から突出している。
【００２９】
図４は、歯４ｂの底端部４ｂ’がパーフォレーション穴５のＣ方向における側部（側面）５ａに接していない状態を示しており、この状態において、底端部４ｂ’は、側部（側面）５ａから所定距離（間隔）ｄ’を置いて隔てられている。歯４ｂの上端部４ｂ”は、傾斜面を有しており、つまり、該上端部４ｂ”は、円錐形状を有しており、パーフォレーション穴５から突出している。
【図面の簡単な説明】
【図１】  本願発明の１実施形態に係るフィルム搬送用装置の斜視図である。
【図２】  図１のフィルム搬送用装置の上面図（ガイドローラーは不図示）である。
【図３】  図２の部分Ａを詳細に示した拡大図である。
【図４】  図２の部分Ｂを詳細に示した拡大図である。
【図５】  図３に示した歯及びフィルムの断面図である。
【図６】  図４に示した歯及びフィルムの断面図である。
【符号の説明】
１    フィルム
２    搬送ローラ
３ａ  ギアーリム
３ｂ  ギアーリム
４ａ  歯
４ａ’底端部（下端部）
４ａ”上端部
４ｂ  歯
４ｂ’底端部（下端部）
４ｂ”上端部
５    パーフォレーション
５ａ  側面（側部）
５ｂ  側面（側部）
６    ガイドローラ
【図１】
0003870082.tif 000002
【図２】
0003870082.tif 000003
【図３】
0003870082.tif 000004
【図４】
0003870082.tif 000005
【図５】
0003870082.tif 000006
【図６】
0003870082.tif 000007